(57)【要約】【課題】  電子部品等の劣化を抑制することができる液体噴射装置を提供する。【解決手段】液体噴射装置は、筐体と、筐体内に設置されて液体を噴射する液体噴射ヘッドと、液体噴射ヘッドを走査させる走査手段と、筐体内の換気要否を判断し、換気が必要であると判断した場合に、前記走査手段を駆動して液体噴射ヘッドを走査させる制御部とを備える。【選択図】図３
2014193548.tif 000002
【特許請求の範囲】
【請求項１】
筐体と、該筐体内に設置されて液体を噴射する液体噴射ヘッドと、
前記液体噴射ヘッドを走査させる走査手段と、
筐体内の換気要否を判断し、換気が必要であると判断した場合に、前記走査手段を駆動して前記液体噴射ヘッドを走査させる制御部とを備えることを特徴とする液体噴射装置。
【請求項２】
前記制御部は換気が必要であると判断した場合に、液体を噴射することなく記液体噴射ヘッドを走査させることを特徴とする請求項１記載の液体噴射装置。
【請求項３】
前記制御部は、前記液体に含まれる成分の雰囲気濃度が所定値を超えた場合に換気が必要だと判断する請求項１又は２に記載の液体噴射装置。
【請求項４】
前記筐体内には、前記液体に含まれる成分の雰囲気濃度を検出するセンサーが設けられ、前記制御部は検出された該雰囲気濃度が所定値を超えたかどうかに基づいて前記筐体内の換気要否を判断することを特徴とする請求項１〜３のいずれか一項に記載の液体噴射装置。
【請求項５】
前記筐体内には、該筐体内の温度を検出する温度センサーが設けられ、前記制御部は、検出された該温度に基づいて前記筐体内の換気要否を判断することを特徴とする請求項１〜４のいずれか一項に記載の液体噴射装置。
【請求項６】
前記制御部は、前記液体を噴射してからの時間を測定する経時測定手段を有し、該制御部は、測定された該時間に基づいて前記筐体内の換気要否を判断することを特徴とする請求項１〜５のいずれか一項に記載の液体噴射装置。
【請求項７】
前記液体噴射ヘッドが走査される走査方向における前記筐体の壁面には、開口が設けられていることを特徴とする請求項１から６のいずれか一項に記載の液体噴射装置。
【請求項８】
前記開口には開閉可能な蓋部が設けられていることを特徴とする請求項７に記載の液体噴射装置。
【請求項９】
前記開口にはフィルターが設けられていることを特徴とする請求項７又は８に記載の液体噴射装置。
【発明の詳細な説明】
【技術分野】
【０００１】
本発明は液体噴射装置に関する。
【背景技術】
【０００２】
液体を噴射する液体噴射ヘッドには、ノズルに連通する圧力室が設けられた流路形成基板の一方面側に圧電素子（アクチュエーター装置）を設け、圧電素子の変位によって圧力室内の圧力変動を行わせてインク滴をノズルから吐出するインクジェット式記録ヘッドが知られている。このようなインクジェット式記録ヘッドが搭載されたインクジェット式記録装置としては、例えば特許文献１のようなものが知られている。
【０００３】
特許文献１のインクジェット式記録装置では、記録ヘッドからのインクの吐出時において液滴の一部が微小液滴（ミスト）となり、インクジェット式記録装置の筐体内を飛散して記録紙などを汚染することを防止すべく、インクの吐出直後に記録ヘッドを走査方向に走査することで筐体内に空気流を発生させてミストを回収している。
【先行技術文献】
【特許文献】
【０００４】
【特許文献１】特開２００５−１４５０２１号公報（請求項１等）
【発明の概要】
【発明が解決しようとする課題】
【０００５】
インクの吐出直後に問題となるミストに対しては上記したインクジェット式記録装置は有効であるかもしれない。しかしながら、インクジェット式記録装置においては、例えばメンテナンス用のクリーニングキャップや筐体内にインクが付着して残っていることがある。このインクジェット式記録装置内に残存したインクに含まれる溶媒が時間の経過と共に蒸発すると、インクジェット式記録装置内の溶媒雰囲気濃度が徐々に高まる。この場合には、上記のようなインクジェット式記録装置では溶媒雰囲気を除去することができず、この結果、インクジェット式記録装置内に配置されている電子部品等が劣化してしまうことも考えられる。
なお、このような問題はインク以外の液体を噴射する液体噴射装置においても共通する問題である。
そこで、本発明の課題は、溶媒雰囲気濃度の上昇を抑制することができる液体噴射装置を提供しようとするものである。
【課題を解決するための手段】
【０００６】
本発明の液体噴射装置は、筐体と、該筐体内に設置されて液体を噴射する液体噴射ヘッドと、前記液体噴射ヘッドを走査させる走査手段と、筐体内の換気要否を判断し、換気が必要であると判断した場合に、前記走査手段を駆動して前記液体噴射ヘッドを走査させる制御部とを備えることを特徴とする。
【０００７】
筐体内の換気要否を判断し、換気が必要であると判断した場合に、前記走査手段を駆動して前記液体噴射ヘッドを走査させることで、簡易に液体に含まれる成分雰囲気を空気流により撹拌し、外部へ放出することができ、筐体内に成分雰囲気を滞留させない。これにより、筐体内に設置された電子部品等の劣化を抑制することができる。
【０００８】
また、本発明の好ましい実施形態としては、前記制御部は換気が必要であると判断した場合に、液体を噴射することなく記液体噴射ヘッドを走査させることが挙げられる。
【０００９】
前記制御部は、前記液体に含まれる成分の雰囲気濃度が所定値を超えた場合に換気が必要であると判断することが好ましい。これにより、液体に含まれる成分雰囲気の上昇を抑制することができる。
【００１０】
本発明の好ましい実施形態としては、前記筐体内には、前記液体に含まれる成分の雰囲気濃度を検出するセンサーが設けられ、前記制御部は検出された該雰囲気濃度が所定値を超えたかどうかに基づいて前記筐体内の換気要否を判断することがあげられる。
【００１１】
また、本発明の好ましい実施形態としては、前記筐体内には、該筐体内の温度を検出する温度センサーが設けられ、前記制御部は、検出された該温度に基づいて前記筐体内の換気要否を判断することがあげられる。
【００１２】
さらに本発明の好ましい実施形態としては、前記制御部は、前記液体を噴射してからの時間を測定する経時測定手段を有し、該制御部は、測定された該時間に基づいて前記筐体内の換気要否を判断することがあげられる。
【００１３】
前記液体噴射ヘッドが走査される走査方向における前記筐体の壁面には、開口が設けられていることが好ましい。このように開口が設けられていることで、効率的に成分雰囲気を外部へ放出することができる。
【００１４】
前記開口には開閉可能な蓋部が設けられていることが好ましい。蓋部が設けられていることで、成分雰囲気を外部へ放出する場合にのみ開状態とすることができ、その結果、筐体４内に塵などが侵入することを防止することができる。
【００１５】
前記開口にはフィルターが設けられていることが好ましい。フィルターが設けられていることで、成分雰囲気を外部へ放出する際に捕捉することができる。
【図面の簡単な説明】
【００１６】
【図１】本発明の実施形態１に係る記録装置の概略斜視図である。
【図２】本発明の実施形態１に係る記録ヘッドの断面図である。
【図３】本発明の実施形態１に係る制御系を示すブロック図である。
【図４】本発明の実施形態１に係る記録装置の動作を示すフローチャートである。
【発明を実施するための形態】
【００１７】
以下に本発明を実施形態に基づいて詳細に説明する。
（実施形態１）
図１は、本発明の実施形態１に係る記録装置の概略斜視図である。
【００１８】
インクジェット式記録ヘッド１（以下、記録ヘッド１とも言う）は、インク供給手段を構成するインクカートリッジ２が着脱可能に設けられ、この記録ヘッド１を搭載したキャリッジ３は、筐体４に取り付けられたキャリッジ軸５に軸方向移動可能に設けられている。この記録ヘッド１は、例えば、ブラックインク組成物及びカラーインク組成物を吐出するものとしている。これらのインク中には、溶媒が含まれるものとする。このように溶媒が含まれる場合、詳しくは後述するが、揮発した溶媒の雰囲気濃度が高くなると問題が起きやすい。
【００１９】
なお、筐体４は、図１中においては一部を点線により示して筐体４の内部の様子を示すようにしているが、中空箱状形状であり、記録シートＳが給紙される給紙口４０及び排紙口（図示せず）が設けられている。筐体４のキャリッジ軸５の延設方向、即ちキャリッジ３の走査方向（後述する）における側壁には、キャリッジ３に対向するように開口４１が設けられている。
また、インクジェット式記録装置Ｉには、詳しくは後述するが、当該インクジェット式記録装置Ｉの動作を制御する制御手段である制御装置１００が設けられている。
さらに、筐体４には、雰囲気濃度センサー４２が設けられている。雰囲気濃度センサー４２は、インクに含まれる溶媒の雰囲気濃度を検出するものである。
【００２０】
そして、駆動モーター６の駆動力が図示しない複数の歯車およびタイミングベルト７を介してキャリッジ３に伝達されることで、記録ヘッド１を搭載したキャリッジ３はキャリッジ軸５に沿って移動される。他方、筐体４にはキャリッジ軸５に沿ってプラテン８が設けられており、図示しない給紙ローラーなどにより給紙された紙等の記録媒体である記録シートＳがプラテン８に巻き掛けられて搬送されるようになっている。
【００２１】
ここで、このようなインクジェット式記録装置Ｉに搭載されたインクジェット式記録ヘッド１について説明する。図２は、本発明の実施形態１に係る液体噴射ヘッドの一例であるインクジェット式記録ヘッドを示す断面図である。
【００２２】
図２に示すように、流路形成基板５０はシリコン単結晶基板からなり、その一方面側の表層部分には、複数の隔壁５１によって画成された圧力発生室５２がその幅方向（短手方向）に並設されている。また、各圧力発生室５２の長手方向一端部側には、各圧力発生室５２に液体の一例であるインクを供給するためのマニホールド５３が液体供給路の一例であるインク供給路５４を介して連通されている。また、流路形成基板５０の圧力発生室５２の開口面側は振動板５５で封止され、他方面側にはノズル開口５６が穿設されたノズル形成部材の一例であるノズルプレート５７が接着剤や熱溶着フィルムを介して接着されている。
【００２３】
流路形成基板５０上に形成された振動板５５は、例えば、樹脂フィルム等の弾性部材からなる弾性膜５５ａと、この弾性膜５５ａを支持する、例えば、金属材料等からなる支持板５５ｂとの複合板で形成されており、弾性膜５５ａ側が流路形成基板５０に接合されている。例えば、本実施形態では、弾性膜５５ａは、厚さが数μｍ程度のＰＰＳ（ポリフェニレンサルファイド）フィルムからなり、支持板５５ｂは、厚さが数十μｍ程度のステンレス鋼板（ＳＵＳ）からなる。また、振動板５５の各圧力発生室５２に対向する領域内には、圧電アクチュエーター１１の先端部が当接する島部５９が設けられている。すなわち、振動板５５の各圧力発生室５２の周縁部に対向する領域に他の領域よりも厚さの薄い薄肉部６０が形成され、この薄肉部６０の内側にそれぞれ島部５９が設けられている。本実施形態では、振動板５５に、島部５９を設けることで、振動板５５に他の領域（薄肉部６０）よりも厚さの厚い厚肉部が設けられている。
【００２４】
また、振動板５５のマニホールド５３に対向する領域には、薄肉部６０と同様に、支持板５５ｂがエッチングにより除去されて実質的に弾性膜５５ａのみで構成されるコンプライアンス部６１が設けられている。なお、このコンプライアンス部６１は、マニホールド５３内に圧力変化が生じた時に、このコンプライアンス部６１の弾性膜５５ａが変形することによって圧力変化を吸収し、マニホールド５３内の圧力を常に一定に保持する役割を果たす。
【００２５】
振動板５５上には、図示しない複数の液体貯留体の一例であるインクカートリッジに接続される液体供給路の一例であるインク供給路を有するヘッドケース５８が固定されており、且つこのヘッドケース５８には、圧電アクチュエーターユニット１０が高精度に位置決めされて固定されている。すなわち、ヘッドケース５８は、貫通した収容部５８ａが設けられており、この収容部５８ａの一方の内面に圧電アクチュエーターユニット１０が、各圧電アクチュエーター１１の先端が振動板５５上の各圧力発生室５２に対応する領域に設けられた各島部５９（厚肉部）に接着剤６３を介して接着されて固定されている。
【００２６】
ここで、圧電アクチュエーターユニット１０は、複数の圧電アクチュエーター１１がその幅方向に並設された列を有する圧電アクチュエーター形成部材１３と、圧電アクチュエーター形成部材１３の先端部（一端部）側が自由端となるようにその基端部（他端部）側が固定端として接合される固定板１４とを有する。
【００２７】
圧電アクチュエーター形成部材１３は、圧電材料層１５と、圧電アクチュエーター１１の２つの極を構成する内部電極、すなわち、隣接する圧電アクチュエーター１１と電気的に独立する個別電極１６と、隣接する圧電アクチュエーター１１と電気的に共通する共通電極１７とを交互に挟んで積層することにより形成されている。
【００２８】
この圧電アクチュエーター形成部材１３には、例えば、ワイヤーソー等によって複数のスリット１８が形成され、その先端部側が櫛歯状に切り分けられて圧電アクチュエーター１１の列が形成されている。
【００２９】
また、圧電アクチュエーター１１の固定板１４に接合される領域は、振動に寄与しない不活性領域となっており、圧電アクチュエーター１１を構成する個別電極１６及び共通電極１７間に電圧を印加すると、固定板１４に接合されていない先端部側の領域のみが振動する。
【００３０】
このような圧電アクチュエーターユニット１０は、固定板１４が、圧電アクチュエーター形成部材１３が固定された面とは反対側の面がヘッドケース５８の収容部５８ａに固定される。また、各圧電アクチュエーター１１の先端面が、振動板５５の島部（厚肉部）５９に接着剤６３を介して接着される。
【００３１】
さらに、ヘッドケース５８上には、回路基板３０の各配線３１がそれぞれ接続される複数の導電パッド３２が設けられた配線基板３３が固定されており、ヘッドケース５８の収容部５８ａは、この配線基板３３によって実質的に塞がれている。配線基板３３には、ヘッドケース５８の収容部５８ａに対向する領域にスリット状の開口部３４が形成されており、回路基板３０はこの配線基板３３の開口部３４から収容部５８ａの外側に折り曲げられて引き出されている。
【００３２】
ここで、圧電アクチュエーターユニット１０を構成する回路基板３０は、例えば、本実施形態では、圧電アクチュエーター１１を駆動するための駆動ＩＣ（図示なし）が搭載されたチップオンフィルム（ＣＯＦ）からなる。そして、回路基板３０の各配線３１は、その基端部側では、例えば、半田、異方性導電材等によって圧電アクチュエーター１１を構成する個別電極１６及び共通電極１７に接続されている。一方、先端部側では、各配線３１は配線基板３３の各導電パッド３２に接合されている。具体的には、配線基板３３の開口部３４から収容部５８ａの外側に引き出された回路基板３０の先端部が配線基板３３の表面に沿って折り曲げられた状態で、各配線３１は配線基板３３の各導電パッド３２に接合されている。
【００３３】
なお、このようなインクジェット式記録ヘッド１では、インク滴を吐出する際に、圧電アクチュエーター１１及び振動板５５の変形によって各圧力発生室５２の容積を変化させて所定のノズル開口５６からインク滴を吐出させるようになっている。具体的には、図１に示すインクカートリッジ２からマニホールド５３にインクが供給されると、インク供給路５４を介して各圧力発生室５２にインクが分配される。実際には、圧電アクチュエーター１１に電圧を印加することにより圧電アクチュエーター１１を収縮させる。これにより、振動板５５が圧電アクチュエーター１１と共に変形されて圧力発生室５２の容積が広げられ、圧力発生室５２内にインクが引き込まれる。そして、ノズル開口５６に至るまで内部にインクを満たした後、配線基板３３を介して制御装置１００から供給される記録信号に従い、圧電アクチュエーター１１の個別電極１６及び共通電極１７に印加していた電圧を解除する。これにより、圧電アクチュエーター１１が伸張されて元の状態に戻ると共に振動板５５も変位して元の状態に戻る。結果として圧力発生室５２の容積が収縮して圧力発生室５２内の圧力が高まりノズル開口５６からインク滴が吐出される。
【００３４】
このようなインクジェット式記録ヘッド１を具備するインクジェット式記録装置Ｉを制御する制御装置１００について説明する。なお、図３は、本発明の実施形態１に係る記録装置の制御系を示すブロック図である。
【００３５】
図３に示すように、インクジェット式記録装置Ｉでは、実際の印刷を行う機構部となる記録ヘッド１と、駆動モーター６及び紙送りモーターと、記録ヘッド１並びに駆動モーター６及び紙送りモーターの動作を制御する制御装置１００と、雰囲気濃度センサー４２とを具備する。
【００３６】
雰囲気濃度センサー４２は、上述したようにインクに含まれる溶媒（成分）の筐体４中における雰囲気濃度を検出するものである。インクに含まれる溶媒とは、本実施形態では有機溶媒であり、雰囲気濃度センサー４２は、筐体４中における有機溶媒ガスの濃度（雰囲気濃度）を検出している。
【００３７】
制御装置１００は、印刷制御手段１０１、記録ヘッド駆動回路１０２、位置制御手段１０３及び判断手段１０４とを具備する。
印刷制御手段１０１は、インクジェット式記録装置Ｉに印刷信号が入力されると、記録ヘッド１の印刷動作の制御を開始する。例えば、印刷制御手段１０１は、印刷信号の入力に伴って記録ヘッド駆動回路１０２を介して圧電アクチュエーター１１に駆動パルス（記録信号）を印加して、記録ヘッド１からインクを吐出させる。また、印刷制御手段１０１は、インクジェット式記録装置Ｉに印刷信号が入力されると、印刷動作信号を位置制御手段１０３に入力する。
【００３８】
位置制御手段１０３は、動作信号に従い、記録ヘッド１の印刷時やクリーニング動作時等の主走査方向及び副走査方向の位置決めを行う。動作信号は、印刷制御手段１０１からの印刷動作信号と、判断手段１０４からの移動信号とを含む。
【００３９】
印刷動作信号が位置制御手段１０３に入力された場合、位置制御手段１０３は、駆動モーター６を駆動してキャリッジ３を主走査方向に移動することで記録ヘッド１の主走査方向の位置決めを行い、図示しない紙送りモーターを駆動してプラテン８を回転し記録シートＳを副走査方向に移動することで記録シートＳに対する記録ヘッド１の副走査方向の位置決めを行っている。つまり、主走査方向とはキャリッジ３の移動方向のことであり、副走査方向とは主走査方向に交差する方向、本実施形態では、記録シートＳの搬送方向のことである。そして、位置制御手段１０３は、印刷時には記録ヘッド１が搭載されたキャリッジ３を主走査方向に移動させながら、記録シートＳを副走査方向に移動させる。
【００４０】
また、移動信号が位置制御手段１０３に入力された場合、位置制御手段１０３は、駆動モーター６を駆動して記録ヘッド１が搭載されたキャリッジ３を主走査方向に往復動作させる。これにより、詳しくは後述するが筐体４内に空気流が発生する。
【００４１】
判断手段１０４には、雰囲気濃度センサーからの検出結果である雰囲気濃度が入力される。判断手段１０４は、この雰囲気濃度が予め定められた所定の雰囲気濃度（所定値）以上かどうかを判断し、高い場合には、移動信号を位置制御手段１０３に入力する。
【００４２】
ここで、このようなインクジェット式記録装置Ｉの制御装置１００による制御について図４を用いて説明する。
本実施形態の制御は、印刷終了後に開始される。即ち、印刷信号が入力され、印刷制御手段１０１が印刷信号の入力に伴って記録ヘッド駆動回路１０２を介して記録ヘッド１からインクを吐出させると共に、位置制御手段１０３は、印刷動作信号に従い、記録ヘッド１の印刷時やクリーニング動作時等の主走査方向及び副走査方向の位置決めを行い、印刷が開始される。所定の印刷が終了し、所定時間が経過すると、本実施形態の制御が開始される。なお、ここでいう所定時間は、０秒後、即ち印刷終了後即時に制御が開始されてもよいし、また、数時間後に制御が開始されてもよい。所定時間については制限されない。制御が開始されると、ステップＳ１に進む。
【００４３】
ステップＳ１では、制御が開始され、判断手段１０４は、雰囲気濃度センサー４２から入力される雰囲気濃度が所定値以上であるかを判断する。雰囲気濃度が所定値以上である場合（ＹＥＳ）、ステップＳ２へ進む。雰囲気濃度が所定値未満である場合（ＮＯ）、ステップＳ１へ戻る。
【００４４】
ステップＳ２では、雰囲気濃度が所定値以上であるため、判断手段１０４が移動信号を位置制御手段１０３に入力する。位置制御手段１０３は、移動信号の入力に伴い、駆動モーター６を記録ヘッド１が搭載されたキャリッジ３を主走査方向に所定回数往復動作させる。これにより、詳しくは後述するが位置制御手段１０３により筐体４内に空気流が発生する。空気流の発生により、筐体４内に付着していたインクからの溶媒雰囲気が撹拌され、開口４１から排出される。キャリッジ３を主走査方向に所定回数往復動作させる際には、記録ヘッド１からインクを吐出することはない。
そして、この所定の往復動作が終了すると、再度雰囲気濃度が所定値以上となるまで判断手段１０４が雰囲気濃度を取得し、雰囲気濃度が所定値以上となれば往復動作を行う。
【００４５】
このように、本実施形態では、判断手段１０４により筐体内の雰囲気濃度が所定値以上と判断されるとキャリッジ３を主走査方向に往復動作することで、空気流を発生させ、筐体４内やクリーニング手段に付着していたインクからの溶媒雰囲気を開口４１から排出することができる。即ち、溶媒雰囲気が上昇するとキャリッジ３を動作させて筐体内の溶媒雰囲気を低下させることができる。これにより、筐体４内の電子部品等の溶媒雰囲気による劣化を抑制することができる。
【００４６】
また、この場合に特にファンなどを設けずにキャリッジ３を動作させて筐体４内の溶媒雰囲気を低下させることで、簡易に、かつ製造時のコストアップをすることなく筐体４内の電子部品等の溶媒雰囲気による劣化を抑制することができる。
【００４７】
本実施形態では、判断手段１０４は、筐体４内の溶媒雰囲気による雰囲気濃度の上昇を雰囲気濃度センサー４２により取得したが、これに限定されない。例えば、筐体４内に雰囲気濃度センサー４２の代わりに温度センサーを設けてもよい。温度センサーを設ける場合、判断手段１０４がこの温度センサーにより取得した温度が所定値よりも高いと判断した場合には、キャリッジ３を主走査方向に往復動作させることで、空気流を発生させ、筐体４内に付着していたインクからの溶媒雰囲気を開口４１から排出するように構成してもよい。温度センサーにより取得した温度が所定値よりも高い、即ち、筐体４内の温度が上昇したということは、筐体４内に付着した溶媒が蒸発しやすくなるため、溶媒雰囲気濃度が上昇したと考えられるので、溶媒雰囲気を開口４１から排出しているのである。
【００４８】
この場合には、判断手段１０４は筐体内の雰囲気濃度の上昇を温度センサーにより判断したのである。なお、温度センサーにより取得した温度が所定値を超えた場合にキャリッジ３を往復動作させるのではなく、判断手段１０４が予め温度及び時間と溶媒の雰囲気濃度との関係を示すマップを有し、温度センサーにより取得した温度とその継続時間とマップとから溶媒の雰囲気濃度を推定して、この推定された溶媒の雰囲気濃度が所定値を超えているかどうかにより判断手段がキャリッジ３を往復動作させるかどうかを判断してもよい。
【００４９】
また、制御装置１００が雰囲気濃度センサー４２の代わりに、タイマー（経時測定手段）を有していてもよい。この場合には、判断手段１０４がこのタイマーにより経過時間を取得して所定の時間が経過したと判断した場合には、キャリッジ３を主走査方向に往復動作させることで、空気流を発生させ、筐体４内に付着していたインクからの溶媒雰囲気を開口４１から排出するように構成してもよい。一定の時間が経過すれば筐体４内に付着した溶媒が蒸発して筐体４内の溶媒の雰囲気濃度が高まっていると考えられるので、溶媒雰囲気を開口４１から排出しているのである。即ち、この場合には、判断手段１０４は筐体４内の雰囲気濃度の上昇をタイマーに基づいて判断したのである。
【００５０】
さらに制御装置１００がこれらの手段を複数備えていて、これらを組み合わせて判断をしても良い。例えば、温度センサーと雰囲気濃度センサーとを共に備えていても良く、温度が所定値を越え、かつ、雰囲気濃度が所定値を超えた場合に筐体４内の溶媒の雰囲気濃度が高まっていると判断手段１０４が判断するように構成してもよい。
【００５１】
本実施形態では、インクの溶媒の雰囲気濃度が所定値を超えた場合に換気が必要であると判断することで筐体内の換気要否を判断したが、これに限定されない。他の要素により判断してもよい。
【００５２】
開口４１は、本実施形態では筐体４の走査方向における側壁に設けられているが、これに限定されない。他の場所に設けられていても良いが、本実施形態のように筐体４の走査方向における側壁に設けられていることで、より効率的に溶媒雰囲気を排出できる。なお、開口４１が設けられていなかったとしても、筐体４に設けられている他の開口（例えば給紙口等）から溶媒雰囲気を排出することができる。
【００５３】
開口４１には、さらに開閉可能な蓋部が設けられていても良い。制御装置１００は、判断手段１０４が溶媒の雰囲気濃度が所定値以上であると判断した場合には、キャリッジ３を主走査方向に往復動作させる際にこの蓋部を開状態として、溶媒雰囲気を開口４１から排出する。このように構成することで、通常時は外部からの埃などが筐体４内部に入ることを抑制しつつ、溶媒雰囲気を好ましく排出することができる。
【００５４】
また、この開口４１にはフィルターが設けられていてもよい。このように構成することで、フィルターで溶媒雰囲気を捕捉することができる。
また、インクジェット式記録装置Ｉの電源がオフ状態であるとしても、制御装置１００がこのような溶媒雰囲気を排出することができるように構成してもよい。例えば、制御装置１００には、さらに一次電池や二次電池などの駆動力供給手段があってもよい。
【００５５】
本実施形態では、インクに含まれる溶媒の雰囲気濃度（溶媒ガス濃度）について説明したが、これに限定されない。インクに含まれる他の成分であっても雰囲気濃度を高めない方が望ましいようなものがあれば対象となる。
【００５６】
（他の実施形態）
以上、本発明の一実施形態について説明したが、本発明の基本的な構成は上述したものに限定されるものではない。例えば、上記した変形例や以下の変形例の１つまたは複数を組み合わせてもよい。
【００５７】
また、上述した一実施形態では、流路（圧力発生室）に圧力変化を生じさせる圧力発生手段として、圧電材料層１５を用いた圧電アクチュエーター１１を例示したが、圧力発生手段は、特にこれに限定されるものではなく、所謂静電アクチュエーターやサーマルアクチュエーターを用いるようにしてもよい。また、圧力発生手段としては、例えば、下電極、圧電材料からなる圧電体層及び上電極を成膜及びリソグラフィー法によって形成した薄膜型の圧電アクチュエーターを用いてもよく、また、グリーンシートを貼付する等の方法により形成される厚膜型の圧電アクチュエーターを使用することもできる。
【００５８】
また、上述した例では、インクジェット式記録装置Ｉは、液体貯留手段であるインクカートリッジ２がキャリッジ３に搭載された構成であるが、特にこれに限定されず、例えば、インクタンク等の液体貯留手段を装置本体に固定して、貯留手段とインクジェット式記録ヘッド１とをチューブ等の供給管を介して接続してもよい。また、液体貯留手段がインクジェット式記録装置Ｉに搭載されていなくてもよい。
【００５９】
なお、上記各実施形態においては、液体噴射装置の一例としてインクジェット式記録装置Ｉを挙げて説明したが、本発明は、広く液体噴射ヘッドを具備する液体噴射装置全般を対象としたものであり、インク以外の液体を噴射する液体噴射ヘッドを具備する液体噴射装置にも勿論適用することができる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられ、かかる液体噴射ヘッドを備えた液体噴射装置に適用できる。
【符号の説明】
【００６０】
Ｉ  インクジェット式記録装置（液体噴射装置）、  １  インクジェット式記録ヘッド（液体噴射ヘッド）、  １０  圧電アクチュエーターユニット、  １１  圧電アクチュエーター、  ５０  流路形成基板、  ５２  圧力発生室、  ５８  ヘッドケース、  １００  制御装置（制御手段）、  １０１  印刷制御手段、  １０４  判断手段
【図１】
2014193548.tif 000003
【図２】
2014193548.tif 000004
【図３】
2014193548.tif 000005
【図４】
2014193548.tif 000006